(57)【特許請求の範囲】
【請求項１】
液冷式ＬＥＤ照明灯であって、  
ランプ口金（１）、ランプ芯（２）及び照明灯カバー（３）を含み、前記照明灯カバー（３）はランプ芯（２）の外周を覆い、且つ照明灯カバー（３）の空洞内には熱伝達用シリコ−ンオイル（４）が充填され、前記ランプ芯（２）の  一端を熱伝達用シリコ−ンオイル（４）内に浸し、前記ランプ芯（２）のもう一端において、前記照明灯カバー（３）とランプ口金（１）とが密封するように連結され、 
前記ランプ芯（２）は多角灯柱（２１）を含み、上記多角灯柱（２１）は中空の多角灯柱であり、上記多角灯柱のそれぞれの側面上には複数の孔があり、 
前記ランプ芯（２）はさらに連結部品（２２）を含み、   
前記多角灯柱（２１）はアルミベース回路基板が囲んで形成する多角灯柱であり、前記多角灯柱（２１）の一端の頂面とそれぞれの側面には、複数のＬＥＤ発光チップがアレイを形成し、前記多角灯柱のもう一端は連結部品（２２）と連結し、前記連結部品（２２）はランプ口金（１）と密封するように連結されている  ことを特徴とする、前記液冷式ＬＥＤ照明灯。  
【請求項２】
前記シリコ−ンオイルの粘度係数は５〜８００万センチパスカル秒であることを特徴とする、請求項１に記載の液冷式ＬＥＤ照明灯。 
【請求項３】
前記シリコ−ンオイルの粘度係数は５〜５０００センチパスカル秒であることを特徴とする、請求項１に記載の液冷式ＬＥＤ照明灯。 
【請求項４】
前記シリコ−ンオイルは、メチルシリコ−ンオイル、エチルシリコ−ンオイル、フェニルシリコ−ンオイル、メチル水素含有シリコ−ンオイル、メチルフェニルシリコ−ンオイル、メチルクロロフェニルシリコ−ンオイル、メチルエトキシシリコ−ンオイル、メチルトリフルオロプロピルシリコ−ンオイル、メチルエチレンシリコ−ンオイル、メチルヒドロキシシリコ−ンオイル、エチル水素含有シリコ−ンオイル、ヒドロキシ水素含有シリコ−ンオイル及びシアン含有シリコ−ンオイルを含むことを特徴とする、請求項１に記載の液冷式ＬＥＤ照明灯。 
【請求項５】
前記多角灯柱（２１）の一部または全部が、前記シリコ−ンオイル（４）内に浸されていることを特徴とする、請求項１に記載の前記液冷式ＬＥＤ照明灯。  
【請求項６】
液冷式ＬＥＤ照明灯であって、   
ランプ口金（１）、ランプ芯（２）及び照明灯カバー（３）を含み、前記照明灯カバー（３）はランプ芯（２）の外周を覆い、且つ照明灯カバー（３）の空洞内には熱伝達用シリコ−ンオイル（４）が充填され、前記ランプ芯（２）の一端を熱伝達用シリコ−ンオイル（４）内に浸し、前記ランプ芯（２）のもう一端において、前記照明灯カバー（３）とランプ口金（１）とが密封するように連結され、   
前記ランプ芯（２）は広角度ＬＥＤ光源（６）を含み、前記広角度ＬＥＤ光源（６）は導電性スタンド（６１）、複数のＬＥＤ発光チップ及びボンディングワイヤ（６３）を含み、前記ＬＥＤ発光チップは前記ボンディングワイヤー（６３）により導電性スタンド（６１）と連結し、   
前記導電性スタンド（６１）は正極支持体（６１１）及び負極支持台座（６１２）を含み、前記正極支持体（６１１）及び前記負極支持台座（６１２）の間は絶縁され、   
前記正極支持体（６１１）は直角柱形ヘッド部（６１１２）を含み、前記直角柱形ヘッド部（６１１２）の上面には、前記ＬＥＤ発光用チップが固定され、   
前記負極支持台座（６１２）は直角柱形取付柱（６１２１）を含み、前記直角柱形取付柱（６１２１）のそれぞれの側面には、前記ＬＥＤ発光チップが固定されていることを特徴とする、前記液冷式ＬＥＤ照明灯。  
【請求項７】
前記広角度ＬＥＤ光源（６）はさらにレンズ（６２）を含み、前記負極支持台座（６１２）は位置決め柱（６１２２）を含み、前記位置決め柱（６１２２）の上面にレンズ取付溝（６１２２１）を設け、機械プレスの方式により前記レンズ（６２）を前記レンズ取付溝（６１２２１）に固定することを特徴とする、請求項６に記載の液冷式ＬＥＤ照明灯。  
【請求項８】
さらに駆動用電源収納部（５）を含み、前記ランプ芯（２）の一端は、前記駆動用電源収納部（５）を介して、ランプ口金（１）と連結されることを特徴とする、請求項６に記載の液冷式ＬＥＤ照明灯。  
【請求項９】
前記ランプ芯（２）はさらに金属パイプ（７）及びランプ芯柱（８）を含み、前記金属パイプ（７）とランプ芯柱（８）の間は絶縁しているものであり、前記金属パイプ（７）と前記正極支持体（６１１）は連結し、前記ランプ芯柱（８）及び前記負極支持台座（６１２）は連結されていることを特徴とする、請求項６に記載の液冷式ＬＥＤ照明灯。   
【請求項１０】
前記正極支持体（６１１）及び前記負極支持台座（６１２）との間は、射出成形の方式により組み立てることで絶縁させたものであることを特徴とする、請求項６に記載の液冷式ＬＥＤ照明灯。  
【請求項１１】
前記直角柱形取付柱（６１２１）の直角柱は３〜１０角柱中の任意のいずれかの直角柱であることを特徴とする、請求項６に記載の液冷式ＬＥＤ照明灯。  
【請求項１２】
前記正極支持体（６１１）はさらに支持柱（６１１１）を含み、前記負極支持台座（６１２）中には、中空トンネル（６１２４）が設けられ、前記支持柱（６１１１）は前記中空トンネル（６１２４）を貫通し、前記直角柱形ヘッド部（６１１２）により前記直角柱形取付柱（６１２１）の上方に引掛かり、前記支持柱（６１１１）は前記負極支持台座（６１２）の下端から延伸することを特徴とする、請求項６に記載の液冷式ＬＥＤ照明灯。  
【発明の詳細な説明】
【技術分野】
【０００１】
本発明はＬＥＤ照明分野に係り、特に液冷式ＬＥＤ照明灯に係る。 
【背景技術】
【０００２】
現在の全世界におけるエネルギー不足に対する心配が増す背景下において、エネルギーの節約は我々が未来に望む重要な課題である。ＬＥＤは第四代照明光源またはグリーン光源と呼ばれ、省エネ、環境保護、寿命が長い、体積が小さい等の特徴を有し、各種指示、ディスプレイ、装飾、バックライト光源、一般照明及び都市夜景などの分野に広く応用することができる。照明分野において、ＬＥＤ発光製品の応用は、人々から注目を集め、ＬＥＤは新型のグリーン光源製品として、必然的に未来の発展の趨勢であり、２１世紀は、ＬＥＤを代表とする新型照明光源の時代となることでしょう。 
【０００３】
ＬＥＤ発光チップは電子再結合（ｅｃｔｒｏｎｉｃ ｒｅｃｏｍｂｉｎａｔｉｏｎ）によって発光し、電流が弱い場合において、発生する熱は小さく、パワーの大きいＬＥＤ照明灯において、特に照明分野での応用おいては、比較的大きい電流が必要とし、大量の熱が生じ、稼動温度は高ってしまう。ＬＥＤ発光チップに影響する主な要因は温度（Ｐ−Ｎ接合の稼動温度）であり、Ｐ−Ｎ接合の稼動温度は１２０℃以下で、好ましくは１００℃であり、Ｐ−Ｎ接合の温度が１０℃上昇するに伴い、光束は１％減退し、発生する主波長は１ｎｍシフトし、寿命もそれにつれて低下する。よって、放熱はＬＥＤ照明灯光が考慮しなければならない問題である。 
【０００４】
また、ＬＥＤ発光チップの体積は非常に小さく、点状発光であり、指向性が高い。ＬＥＤ発光チップの発する光は直線であり、発散性が良くない。これにより照射角度は比較的小さく、該角度から偏った場合は光が迅速に弱くなり、大面積照明のニーズを満たすことはできない。照射角度が比較的小さいという問題を解決するに、従来技術はチューブ型ＬＥＤ照明を使用しているが、その照明器具の配列が過密で、設計製造コストが高く、及び放熱効果が良くないために、省エネ効果が失われてしまう。 
【発明の概要】
【発明が解決しようとする課題】
【０００５】
本発明の目的は、液冷式ＬＥＤ照明灯を提供することであり、優れた放熱性および簡単な構造を有するという特徴を有する。 
【課題を解決するための手段】
【０００６】
本発明の目的を実現するために提供される液冷式ＬＥＤ照明灯は、以下の特徴を有する。ランプ口金、ランプ芯及び照明灯カバーを含み、前記照明灯カバーはランプ芯の外周を覆い、且つ照明灯カバーの空洞内には熱伝達用シリコ−ンオイルが充填され、前記ランプ芯の一端を熱伝達用シリコ−ンオイル内に浸し、前記ランプ芯のもう一端において、前記照明灯カバーとランプ口金とが密封するように連結されている。 
【０００７】
上記目的は以下の技術構成によってさらに改善できる。  
【０００８】
前記シリコ−ンオイルの粘度係数は５〜８００万センチパスカル秒（ｃＰａ・Ｓ）である。 
【０００９】
前記シリコ−ンオイルの粘度係数は５〜５０００センチパスカル秒（ｃＰａ・Ｓ）である。 
【００１０】
前記シリコ−ンオイルは、メチルシリコ−ンオイル、エチルシリコ−ンオイル、フェニルシリコ−ンオイル、メチル水素含有シリコ−ンオイル、メチルフェニルシリコ−ンオイル、メチルクロロフェニルシリコ−ンオイル、メチルエトキシシリコ−ンオイル、メチルトリフルオロプロピルシリコ−ンオイル、メチルエチレンシリコ−ンオイル、メチルヒドロキシシリコ−ンオイル、エチル水素含有シリコ−ンオイル、ヒドロキシ水素含有シリコ−ンオイル及びシアン含有シリコ−ンオイルを含む。 
【発明の効果】
【００１１】
本発明の有益な効果は以下である。本発明の液冷式ＬＥＤ照明灯は、以下の有益な効果を有する。 
１、構造が簡単で、生産製造がしやすい。  
２、放熱性がよく、省エネであるという特徴。  
【図面の簡単な説明】
【００１２】
【図１】図１は本発明実施例１の液冷式ＬＥＤ照明灯の構造模式図である。
【図２】図２は本発明実施例１の液冷式ＬＥＤ照明灯のランプ芯の模式図である。
【図３】図３は本発明実施例２の液冷式ＬＥＤ照明灯の断面図である。
【図４】図４は本発明実施例２の液冷式ＬＥＤ照明灯の広角度ＬＥＤ光源の構造模式図である。
【図５】図５は本発明実施例２の液冷式ＬＥＤ照明灯の導電性スタンドの模式図である。
【図６】図６は本発明実施例２の液冷式ＬＥＤ照明灯の導電性スタンドの断面図である。
【図７】図７は本発明実施例２の液冷式ＬＥＤ照明灯の広角度ＬＥＤ光源のＬＥＤ発光チップの取付模式図である。
【図８】図８は本発明実施例２の液冷式ＬＥＤ照明灯の広角度ＬＥＤ光源のＬＥＤ発光チップの取付上面図である。
【図９】図９は本発明実施例２の液冷式ＬＥＤ照明灯のランプ芯の組立模式図である。
【図１０】図１０は本発明実施例２の液冷式ＬＥＤ照明灯のランプ芯の組立模式図である。
【図１１】図１１は本発明実施例２の液冷式ＬＥＤ照明灯のランプ芯の組立模式図である。
【図１２】図１２は本発明実施例２の液冷式ＬＥＤ照明灯のランプ芯の組立模式図である。
【図１３】図１３は本発明実施例２の液冷式ＬＥＤ照明灯の組立模式図である。
【図１４】図１４は本発明実施例２の液冷式ＬＥＤ照明灯の組立模式図である。
【図１５】図１５は本発明実施例２の液冷式ＬＥＤ照明灯の組立模式図である。
【図１６】図１６は本発明実施例２の液冷式ＬＥＤ照明灯の組立模式図である。
【図１７】図１７は本発明実施例２の液冷式ＬＥＤ照明灯の組立模式図である。
【発明を実施するための形態】
【００１３】
本発明の目的、技術構成及びメリットをより明確にするために、以下に図面および実施例を参照して、本発明の液冷式ＬＥＤ照明灯に対しさらに詳細に説明する。理解すべきは、ここで記載している具体的な実施例は本発明を解釈するために用いるものであり、本発明の限定に用いるためのものではない。 
【実施例１】
【００１４】
図１に示すように、液冷式ＬＥＤ照明灯は、ランプ口金１、ランプ芯２及び照明灯カバー３を含み、前記照明灯カバー３はランプ芯２の外周を覆い、且つ照明灯カバー３の空洞内には熱伝達用シリコ−ンオイル４が充填され、前記ランプ芯２の一端を熱伝達用シリコ−ンオイル４内に浸し、前記ランプ芯２のもう一端において、前記照明灯カバー３とランプ口金１とが密封するように連結されている。 
【００１５】
好ましくは、前記シリコ−ンオイルの粘度係数は５〜８００万センチパスカル秒である。 
【００１６】
好ましくは、前記シリコ−ンオイルの粘度係数は５〜５０００センチパスカル秒である。 
【００１７】
好ましくは、前記シリコ−ンオイルは、メチルシリコ−ンオイル、エチルシリコ−ンオイル、フェニルシリコ−ンオイル、メチル水素含有シリコ−ンオイル、メチルフェニルシリコ−ンオイル、メチルクロロフェニルシリコ−ンオイル、メチルエトキシシリコ−ンオイル、メチルトリフルオロプロピルシリコ−ンオイル、メチルエチレンシリコ−ンオイル、メチルヒドロキシシリコ−ンオイル、エチル水素含有シリコ−ンオイル、ヒドロキシ水素含有シリコ−ンオイル及びシアン含有シリコ−ンオイルを含む。 
【００１８】
図２に示すように、前記ランプ芯２は多角灯柱２１及び連結部品２２を含み、前記多角灯柱２１はアルミベース回路基板が囲んで形成する多角灯柱であり、前記多角灯柱２１の一端の頂面とそれぞれの側面には、複数のＬＥＤ発光チップがアレイを形成し、前記多角灯柱のもう一端は連結部品２２と連結し、前記連結部品２２はランプ口金１と密封するように連結されている。アルミベース回路基板は優れた熱伝達性を有し、多角灯柱の熱伝達性も優れている。複数のＬＥＤ発光チップから生じる熱は多角灯柱に伝わり、シリコーンオイルの多角灯柱との遠近が異なるために、温度が異なることにより対流が生じる。対流は多角灯柱の熱を持ち去り、同時に照明灯カバーと外の空気の接触面は大きく、放熱に有利である。 
【００１９】
好ましくは、前記多角灯柱２１は中空の多角灯柱であり、前記多角灯柱のそれぞれの側面上には複数の孔が設けられている。複数のＬＥＤチップから生じる熱は多角灯柱に伝導され、多角灯柱の外側と中空の部分のシリコーンオイルの温度は異なり、複数の孔によって多角灯柱の外側と中空部分のシリコーンオイルの対流を促し、放熱の速度を速くする。 
【００２０】
好ましくは、前記多角灯柱２１の一部または全部が、前記シリコ−ンオイル４内に浸されている。 
【実施例２】
【００２１】
図３に示すように、実施可能な形態として、本発明実施例の液冷式ＬＥＤ照明灯は、ランプ口金１、ランプ芯２及び照明灯カバー３、熱伝達用シリコーンオイル４、および駆動用電源収納部５を含む。前記照明灯カバー３はランプ芯２の外周を覆い、且つ照明灯カバー３の空洞内には熱伝達用シリコ−ンオイル４が充填され、前記ランプ芯２の一端を 熱伝達用シリコ−ンオイル４内に浸し、前記ランプ芯２のもう一端において、前記照明灯カバー３と駆動電源収納部５が固定連結されている。  
【００２２】
好ましくは、前記シリコ−ンオイルの粘度係数は５〜８００万センチパスカル秒である。 
【００２３】
好ましくは、前記シリコ−ンオイルの粘度係数は５〜５０００センチパスカル秒である。 
【００２４】
好ましくは、前記シリコ−ンオイルは、メチルシリコ−ンオイル、エチルシリコ−ンオイル、フェニルシリコ−ンオイル、メチル水素含有シリコ−ンオイル、メチルフェニルシリコ−ンオイル、メチルクロロフェニルシリコ−ンオイル、メチルエトキシシリコ−ンオイル、メチルトリフルオロプロピルシリコ−ンオイル、メチルエチレンシリコ−ンオイル、メチルヒドロキシシリコ−ンオイル、エチル水素含有シリコ−ンオイル、ヒドロキシ水素含有シリコ−ンオイル及びシアン含有シリコ−ンオイルを含む。 
【００２５】
前記ランプ芯２は広角度ＬＥＤ光源６を含み、図４に示すように、導電性スタンド６１、レンズ６２、複数のＬＥＤ発光チップ及びボンディングワイヤ６３を含む。 
【００２６】
図５及び図６に示すように、導電性スタンド６１は正極支持体６１１及び負極支持台座６１２を含み、前記正極支持体６１１及び前記負極支持台座６１２の間は、絶縁の熱伝達性プラスチックが充填され、即ち正極支持体６１１と負極支持台座６１２はそれぞれ導電するものであり、且つ正極支持体６１１及び負極支持台座６１２の間は絶縁で熱伝達するものであり、正極支持体６１１と回路の正極は接続され、負極支持台座６１は回路の負極と接続されている。 
【００２７】
そのうち、正極支持体６１１は支持円柱６１１１及び支持円柱の一端に設けている直角柱形ヘッド部６１１２を含み、そのうち、ヘッド部６１１２の直角柱の底面は正八角形である。直角柱のヘッド部６１１２の半径は、支持円柱６１１１の半径より大きく、支持円柱６１１１の長さは、負極支持台座６１２の長さより大きい。 
【００２８】
負極支持台座６１２は、上から下に順次、直柱型形取付柱６１２１、位置決め円柱６１２２（その役割については以下に記載）及びねじ柱６１２３（その役割は以下に記載）が設けられている。そのうち、取付柱６１２１の直角柱の底面は正八角形であり、ねじ柱６１２３の半径は最も小さく、直角柱取付柱６１２１の半径は中ぐらいであり、位置決め円柱６１２２の半径が最も大きい。負極支持台座６１２には、円柱形中空トンネル６１２４があり、該中空トンネル６１２４は負極支持台座６１２の中心部を貫通し、且つ中空トンネル６１２４の半径は支持円柱６１１１の半径より若干大きく、且つ直角柱形ヘッド部６１１２の半径より小さい。そのうち、位置決め円柱６１２２の上面には、環状のレンズ取付溝６１２２１があり、レンズ６２はレンズ装着溝６１２２１内に取り付けられている。 
【００２９】
正極支持体６１１の支持円柱６１１１は中空トンネル６１２４を貫通し、直角柱形ヘッド部６１１２は直角柱形取付柱６１２１の上方にあり、支持円柱６１１１は負極支持台座６１２下から延伸している。 
【００３０】
図７及び図８に示すように、直角柱形ヘッド部６１１２の上面及び直角柱取付柱６１２１のそれぞれの側面上に、ＬＥＤ発光チップが固定されている。ＬＥＤ発光チップの正極（負極）はボンディングワイヤ６３により、正極支持体６１１（負極支持体６１２）と連結されている。固定ＬＥＤ発光チップ及び広角度ＬＥＤ光源を使用する際、位置決め円柱６１２２はねじれ力を提供するエリアを提供し、取り付けと組み立てに便利である。 
【００３１】
本実施例の広角度ＬＥＤ光源は、封止により照射角が２７０℃より大きい球形発光のＬＥＤ光源を得て、その発光効果は従来の白熱電球と近似し、従来の白熱電球の代わりとなり得る。しかし、伝導的な白色電球よりは９０％の省エネを達成できる。現在のものは、多角面に位置する発光チップのＬＥＤ光源を含み、側面の発光チップしかないため、蝶々状の光の斑点となる。本実施例の広角度ＬＥＤ光源は、直柱灯部６１１２上面のＬＥＤ発光チップ及び多角面のＬＥＤ発光チップがあり、これにより球状発光が可能となる。 
【００３２】
好ましい実施形態として、レンズ装着溝６１２２１内にシール材を添加して、機械プレスの方式によりレンズを取付け、これにより広角度ＬＥＤ光源の高度な密封性を実現する。機械プレスをＬＥＤ分野の密封に応用することで、密封の効果を大いに向上させた。 
【００３３】
好ましい実施形態として、インサート成形（ｉｎｓｅｒｔｍｏｌｄｉｎｇ）により正極支持体６１１及び負極支持体６１２を組み立てする。  
【００３４】
インサート成形はプラスチックの射出成形工程の一種であり、二つ以上の部品の間にプラスチックを射出成形することを言い、複数の部品から一つの全体を形成する射出成形加工手段である。 
【００３５】
好ましい実施形態として、正極支持体６１１及び負極支持体６１２は金属銅を原料として加工したものであり、その表面は純銀または純金めっきされ、これにより導電性能を増加させる。 
【００３６】
実施できる形態として、直角柱形ヘッド部６１１２の直角柱は３〜１０角柱中の任意のいずれかである。 
【００３７】
上記ランプ芯２は上記広角度ＬＥＤ光源６を含み、さらには金属パイプ７及びランプ芯柱８を含み、上記金属パイプ７とランプ芯柱８の間は絶縁であり、上記金属パイプ７と上記正極支持体６１１は連結され、上記ランプ芯柱８は上記負極支持座６１２は接続するものである。 
【００３８】
ランプ芯柱８の一端の内壁にはねじ部があり、もう一端の外側のランプ芯尾部には、ランプ芯凹溝が設けられている。金属パイプ７と支持円柱６１１１はスリーブ接続し、ランプ外周８はねじ部により、熱伝達密封ゲルを塗布しているねじ柱６１２３と緊密に接続し、金属パイプ７とランプ芯柱８の間には、熱伝達性シール材が充填され、即ち金属パイプ７は回路の正極と接続し、ランプ芯柱８と回路の負極とが接続する。ランプ芯尾部と照明灯カバーのボトル口は圧着して密封され、これによりシリコーンオイル４は照明灯カバー３内に密封される。 
【００３９】
ランプ芯の正負極は駆動電源の正負極と接続し、駆動電源の正負極とランプ口金１の正負極は接続されている。 
【００４０】
液冷式ＬＥＤ照明灯の製造方法は以下である。  
【００４１】
＜ステップ１＞  
図９に示すように、圧迫により直径を減少する方法により、金属パイプ７を支持円柱６１１１の外側にスリーブ接続させ、即ち、金属パイプ７と正極支持体６１１は正極を形成する。 
【００４２】
＜ステップ２＞  
図１０及び図１１に示すように、ランプ芯柱８はねじ部により、熱シール材が塗布されているねじ柱６１２３と緊密に接続し、金属パイプ７及びランプ芯柱８の間には熱伝達シール材が充填され、即ち、ランプ芯柱８と負極支持座６１２は負極を形成し、且つ正極と負極の間は絶縁で熱伝達性のものである。 
【００４３】
＜ステップ３＞  
図１２に示すように、ランプ芯２の凹溝内にはシール材が底面にある。 
ここまでで、ランプ芯２の取り付けが完了する。  
【００４４】
＜ステップ４＞  
図１３に示すように、照明灯３のボトル口から一定量の高熱伝達性シリコーンオイルが充填されている。 
【００４５】
＜ステップ５＞  
図１４及び１５に示すように、ランプ芯２を照明灯３に入れ、密封装置でランプ凹溝と照明灯カバー３のボトル口を圧着して密封し、このように熱伝達用シリコーンオイルを照明灯カバー３内に密封し、この際広角度ＬＥＤ光源を完全に高導熱性のシリコーンオイル内に浸し、レンズ６２を機械プレスの方式により組み立て、これにより広角度ＬＥＤ光源にはシリコーンオイルが進入しない。 
【００４６】
ここまでで、ランプ芯３と照明灯カバー３の組み立てを完了する。 
【００４７】
＜ステップ６＞  
図１６に示すように、駆動用電源収納部５と、照明灯カバー３を差し込み方式で接続し、ランプ芯２の正負極と駆動用電源の正負極を接続させる。 
【００４８】
＜ステップ７＞  
図１７に示すように、駆動用電源収納部５と、ランプ口金１は連結され、駆動電源の正負極とランプ口金１の正負極は接続する。 
【００４９】
液冷式ＬＥＤ照明灯の組立が完了する。  
【００５０】
液冷式ＬＥＤ照明灯内に含まれるＬＥＤ発光チップが発生する熱は以下のルートにより放熱される。 
【００５１】
直角柱形取付柱のそれぞれの側面のＬＥＤ発光チップにとって、生じる熱量は直角柱形取付柱により、位置決め円柱に伝導され、位置決め円柱により熱伝達シリコーンオイルに伝導し、これにより放熱を実現する。直角柱形ヘッド部の上面のＬＥＤ発光チップにとって、生じる熱の一部は正極支持体及び長い金属パイプにより放熱され、一部は直角柱形取付柱により位置決め円柱に伝導し、位置決め円柱により熱伝達用シリコーンオイルに伝導され、これにより放熱を実現する。 
【００５２】
本発明の液冷式ＬＥＤ照明灯は、構造が簡単で生産製造しやすく、照射角度が大きく、放熱性能がよく、省エネであるとの特徴を有する。 
【００５３】
最後に説明すべきは、明らかなように、当業者は、本発明の精神と範囲を離脱しない範囲内において、本発明に対して各種修正及び変形を行うことができる。このように、本発明のこれらの修正及び変形は、本発明の請求項及びその均等的な範囲内にあれば、本発明は、これらの修正及び変形を含むことを意図している。 
【符号の説明】
【００５４】
１ ランプ口金  
２ ランプ芯  
３ 照明灯カバー  
４ シリコーンオイル  
５ 駆動用電源収納部  
６ 広角度ＬＥＤ光源  
７ 金属パイプ  
８ ランプ芯柱  
２１ 多角灯柱  
２２ 接続部品  
６１ 導電性スタンド  
６２ レンズ  
６３ ボンディングワイヤー  
６１１ 正極支持体  
６１２ 負極支持台座  
６１１１ 支持円柱  
６１１２ 直角柱形ヘッド部  
６１２１ 直角柱形取付柱  
６１２２ 位置決め円柱  
６１２３ ねじ柱  
６１２４ 円柱状中空トンネル  
６１２２１ レンズ装着溝  
【図１】
0005726339.tif 000002
【図２】
0005726339.tif 000003
【図３】
0005726339.tif 000004
【図４】
0005726339.tif 000005
【図５】
0005726339.tif 000006
【図６】
0005726339.tif 000007
【図７】
0005726339.tif 000008
【図８】
0005726339.tif 000009
【図９】
0005726339.tif 000010
【図１０】
0005726339.tif 000011
【図１１】
0005726339.tif 000012
【図１２】
0005726339.tif 000013
【図１３】
0005726339.tif 000014
【図１４】
0005726339.tif 000015
【図１５】
0005726339.tif 000016
【図１６】
0005726339.tif 000017
【図１７】
0005726339.tif 000018